(57)【要約】【課題】  振れ止め具の戸枠への取り付け及びレールに対する位置調整を容易に行いつつ、戸枠の振れ及びレールからの脱却を確実に防止する。【解決手段】  振れ止め具１０は、サッシのレール２上を移動する戸枠１の上方に設置される。この振れ止め具１０は、戸枠１に固定して取り付けられる固定部材１２と、この固定部材１２に摺動自在に取り付けられる移動部材１４とを有する。固定部材１２は、レール２に下方から弾性的に係合する係合片１６を有している。移動部材１４は、固定本体１２に対する任意の位置で固定本体１２に締め付け固定することができる。移動部材１４の上端には、レール２に跨る溝部１４ａが形成されている。【選択図】        図１
2006283491.tif 000002
【特許請求の範囲】
【請求項１】
レール上を移動する戸枠の上方に設置され前記レールに跨って前記戸枠の振れ及びレールからの脱却を防止する振れ止め具であって、前記振れ止め具は、前記戸枠に固定して取り付けられる固定部材と、前記固定部材に摺動自在に取り付けられる移動部材とを有し、前記移動部材は、前記固定本体に対する任意の位置で前記固定本体に締め付け固定されることを特徴とする振れ止め具。
【請求項２】
請求項１に記載された振れ止め具であって、前記移動部材は、前記レールに跨る溝部を有することを特徴とする振れ止め具。
【請求項３】
請求項１又は請求項２のいずれかに記載された振れ止め具であって、前記移動部材は、前記固定部材に設けられ前記固定部材を前記戸枠に取り付けるための貫通孔に、前記移動部材の外側からアクセスできるように開口する開口部を有していることを特徴とする振れ止め具。
【請求項４】
請求項１乃至請求項３のいずれかに記載された振れ止め具であって、前記固定部材は、前記レールに下方から弾性的に係合する係合片を有していることを特徴とする振れ止め具。
【請求項５】
請求項１乃至請求項４のいずれかに記載された振れ止め具であって、前記固定部材は、上方に前記レールに跨る溝部を有することを特徴とする振れ止め具。
【発明の詳細な説明】
【技術分野】
【０００１】
本発明は、例えば、網戸や引き戸等のレール上を移動する戸枠が、移動の際にぶれたりレールから脱却するのを防止する振れ止め具の改良に関し、特に、取り付け及び位置調整を容易に行うことに関するものである。
【背景技術】
【０００２】
網戸や引き戸等を設置する際には、サッシの上下のレール間に、戸枠の上下枠を取り付けるが、網戸等を移動させる際に戸枠がぶれて円滑に開閉することができなかったり、あるいは、戸枠がサッシから外れるのを防止するために、戸枠の上側に、レールに跨って設置される振れ止め具を取り付けることが多い。
【０００３】
この振れ止め具は、一般に、戸枠に取り付けられるストッパーと、このストッパーに対して摺動可能に設置されレールに弾性的に係合する係合片を有する本体とから成り、係合片の位置（係合片を有する本体の位置）を、レールに対する戸枠の位置に応じて調整した上で、本体をストッパーと共に螺旋により戸枠に締め付けて取り付けることにより、係合片をレールに係合させて、戸枠の振れ止めやレールからの脱却を防止するものである。
【０００４】
このような振れ止め具は、従来、本体を適切な位置に位置決めした後、本体とストッパーの両者を貫通するように配設された螺旋により、戸枠に固定して取り付けられていた（例えば、特許文献１等参照）。
【０００５】
しかし、このように、固定部材と移動部材とを同じ螺旋で同時に戸枠に固定すると、例えば、係合片の位置を再度調整する必要が生じた場合等に、螺旋を緩めるとストッパーの戸枠への固定も解除され、本体のみならず、再度、ストッパーも含めて、位置決めから始めなければならず、取り付け作業に手間がかかる問題があった。また、従来の振れ止め具は、専ら係合片のみがレールに跨るため、必ずしも充分に戸枠の振れやレールからの脱却を防止することができないおそれもあった。
【特許文献１】特開２００１−２７０６８号公報
【発明の開示】
【発明が解決しようとする課題】
【０００６】
本発明が解決しようとする課題は、上記の問題点に鑑み、戸枠への取り付け及びレールに対する位置調整を容易に行うことができつつ、戸枠の振れ及びレールからの脱却を確実に防止することができる振れ止め具を提供することにある。
【課題を解決するための手段】
【０００７】
本発明は、上記の課題を解決するための第１の手段として、レール上を移動する戸枠の上方に設置されレールに跨って戸枠の振れ及びレールからの脱却を防止する振れ止め具であって、この振れ止め具は、戸枠に固定して取り付けられる固定部材と、この固定部材に摺動自在に取り付けられる移動部材とを有し、この移動部材は固定本体に対する任意の位置で固定本体に締め付け固定されることを特徴とする振れ止め具を提供するものである。
【０００８】
本発明は、上記の課題を解決するための第２の手段として、上記第１の解決手段において、移動部材は、レールに跨る溝部を有することを特徴とする振れ止め具を提供するものである。
【０００９】
本発明は、上記の課題を解決するための第３の手段として、上記第１又は第２のいずれかの解決手段において、移動部材は、固定部材に設けられ固定部材を戸枠に取り付けるための貫通孔に、移動部材の外側からアクセスできるように開口する開口部を有していることを特徴とする振れ止め具を提供するものである。
【００１０】
本発明は、上記の課題を解決するための第４の手段として、上記第１乃至第３のいずれかの解決手段において、固定部材は、レールに下方から弾性的に係合する係合片を有していることを特徴とする振れ止め具を提供するものである。
【００１１】
本発明は、上記の課題を解決するための第５の手段として、上記第１乃至第４のいずれかの解決手段において、固定部材は、上方にレールに跨る溝部を有することを特徴とする振れ止め具を提供するものである。
【発明の効果】
【００１２】
本発明によれば、上記のように、戸枠に固定される固定部材に対して移動可能な移動部材を設け、固定部材の戸枠への固定と移動部材の固定部材への固定とを分離したため、固定部材を固定したまま、移動部材の高さ位置のみを調整することができ、戸枠への取り付け及び位置調整を簡易に行うことができる実益がある。
【００１３】
また、本発明によれば、上記のように、位置調整可能な移動部材にレールに跨る溝部を設けているため、固定部材に設けられる係合片と相俟って、戸枠の振れ止め及びレールからの脱却作用をより一層高めることができる実益がある。
【００１４】
本発明によれば、上記のように、移動部材は、固定部材を戸枠に取り付けるための貫通孔に移動部材の外側からアクセスできるように開口する開口部を有しているため、移動部材が一体的に取り付けられた固定部材であるにもかかわらず、この開口部を通じてドライバ等を工具により固定部材を戸枠に簡易に固定することができる実益がある。
【００１５】
本発明によれば、上記のように、固定部材にレールに下方から弾性的に係合する係合片を設けているため、戸枠の振れ止め及びレールからの脱却を安定的にかつ確実に行うことができる実益がある。
【００１６】
本発明によれば、上記のように、固定部材の上方にもレールに跨る溝部が形成されているため、固定部材に設けられる係合片と相俟って、戸枠の振れ止め及びレールからの脱却作用をより一層高めることができる実益がある。
【発明を実施するための最良の形態】
【００１７】
本発明の実施の形態を図面を参照しながら詳細に説明すると、図１及び図２は、本発明の振れ止め具１０を示し、この振れ止め具１０は、図１及び図２に示すように、網戸等の戸枠１の上方に設置されて、サッシのレール２に跨って戸枠１の振れ及びレール２からの脱却を防止するものである。
【００１８】
この振れ止め具１０は、図１及び図２に示すように、戸枠１に固定して取り付けられる固定部材１２と、この固定部材１２に摺動自在に取り付けられる移動部材１４とを有している。
【００１９】
固定部材１２は、図１及び図２に示すように、貫通孔１２Ａを有し、この貫通孔１２Ａに固定部材１２を戸枠１に取り付けるための螺旋１８を貫通させて、戸枠１に締め付けることにより戸枠１に固定して取り付けられる。
【００２０】
また、この固定部材１２は、図１及び図２に示すように、サッシのレール２に、下方から弾性的に係合する係合片１６を有している。この係合片１６は、図１及び図２に示すように、固定部材１２から延びる支持部１２Ｂに枢支されると共に、上方へ移動するようにばね付勢され、支持部１２Ｂの上端に形成された図示しないストッパによりその上方への変位が規制されている。
【００２１】
また、この係合片１６は、図１及び図２に示すように、先端にサッシのレール２に跨る溝部１６ａを有している。従って、戸枠１とサッシのレール２との間の間隔に関わらず係合片が上方へ変位しようとして、この溝部１６ａがレール２に跨り、戸枠１がレール２から外れたり、戸枠１の移動の際に戸枠１が振れるのを、安定的にかつ確実に防止することができる。なお、固定部材１２は、係合片１６の溝部１６ａが、レール２に当接する高さ位置に取り付ける。この場合、少なくとも、ばねによる上方への付勢力に抗して、係合片１６が若干押し下げられる程度の高さ位置に設定することが望ましい。これにより、溝部１６ａを確実にレール２に当接させることができる。
【００２２】
また、この固定部材１２の上方にも、図１及び図２に示すように、サッシのレール２に跨る溝部１２ａが形成されている。従って、この固定部材１２の溝部１２ａ内にサッシのレール２を挿入するようにして、戸枠１をレール２に取り付けると、係合片１６と相俟って、戸枠１の振れ止め及びレール２からの脱却作用をより一層高めることができる。なお、この固定部材１２の溝部１２ａは、図１及び図２に示すように、係合片１６を水平位置まで倒した場合に、その係合片１６と同じ高さ位置となる位置まで、深く切り込んで形成される。
【００２３】
一方、移動部材１４は、図１及び図２に示すように、固定部材１２に形成された摺動レール１２Ｃに係合して、固定部材１２に対して摺動レール１２Ｃに沿ってスライドすることができる。また、この移動部材１４は、図１及び図２に示すように、固定本体１２に対する任意の位置で、固定本体１２に、螺旋２０により、締め付け固定することができる。
【００２４】
従って、移動部材１４は、固定部材１２を固定したままで、かつ、固定部材１２の取付高さ位置とは関係なく、独自に位置調整及び固定することができる。このため、戸枠１の上端から係合片１６の溝部１６ａまでの距離に合わせて、その高さ位置を調整することができる。
【００２５】
即ち、図１に示すように、例えば、戸枠１の上端から係合片１６の溝部１６ａ（レール２）までの距離が長い場合には、移動部材１４を上方にスライドさせて固定部材１２に固定し、戸枠１の上端から係合片１６の溝部１６ａ（レール２）までの距離が図１よりも短い場合には、図２に示すように、移動部材１４を下方に位置決めして、固定部材１２固定することができるに。この場合、固定部材１２の戸枠１への取り付け自体には、何ら変更を加える必要がなく、移動部材１４を固定部材１２に締め付けるねじ２０の締付具合を調整するだけで、移動部材１４の位置変更を行うことができる。
【００２６】
なお、この移動部材１４の固定部材１２に対する変位量は、上方側へは摺動レール１２Ｃの上端により、下方側へは移動部材１４を締め付ける螺旋２０を固定部材１２の下端に設けられたストッパ１２ｂに当接させることにより規制することができる。この場合、移動部材１４を固定部材１２に対して最も下の位置に設置した場合にも、後述する移動部材１４の溝部１４ａが、固定部材１２の溝部１２ａと同じ高さ位置となる位置まで変位できるように設定する。
【００２７】
また、この移動部材１４は、図１及び図２に示すように、その上端に、サッシのレール２に跨る溝部１４ａを形成することが望ましい。この高さ位置を調整することができる移動部材１４ａの溝部１４ａをサッシのレール２に跨らせることにより、係合片１６の溝１６ａ及び固定部材１２の溝部１２ａと相俟って、振れ止め具１０を複数の箇所でレール２に跨らせることができるため、戸枠１の振れ止め及びレール２からの脱却作用をより一層高めることができる。
【００２８】
また、移動部材１４には、その側面に、図１に示すように、開口部１４ｂが形成されている。この開口部１４ｂは、移動部材１４の外側から図示しないドライバ等の工具を挿入して、固定部材１２の貫通孔１２Ａにアクセスするためのものである。そのため、開口部１４ｂは、図１に示すように、移動部材１４の固定部材１２に対する変位量に合わせた長さを有し、従って、移動部材１４をどの高さ位置に調整した場合であっても、この開口部１４ｂを通じて、固定部材１２の貫通孔１２Ａに螺旋１８を締め付けて、固定部材１２を戸枠１に簡易に固定することができる。
【産業上の利用可能性】
【００２９】
本発明の振れ止め具は、網戸や引き戸等の戸枠により、サッシのレールに取り付けられる戸に広く適用することができる。
【図面の簡単な説明】
【００３０】
【図１】本発明の振れ止め具の側面図である。
【図２】本発明の振れ止め具の他の実施の形態の側面図である。
【符号の説明】
【００３１】
１  戸枠
２  サッシのレール
１０  振れ止め具
１２  固定部材
１２Ａ  貫通孔
１２Ｂ  支持部
１２Ｃ  レール
１２ａ  溝部
１２ｂ  ストッパ
１４  移動部材
１４ａ  溝部
１４ｂ  開口部
１６  係合片
１６ａ  溝部
１８  螺旋
２０  螺旋
【図１】
2006283491.tif 000003
【図２】
2006283491.tif 000004